(57)【要約】  この発明の綴じ具は、綴杆をわずかに移動させるだけで、綴杆をベース体から全体的に外すことなく開き、用箋等の被綴じ物を綴じたり、外したりすることができる。  綴杆３０２の一方の基部より、綴杆の内方に向けて延設された枢軸部３０６と、綴杆の他方の基部より、綴杆の内方に向けて延設された係止部３１０とを有するリング体３０と、リング体を移動自在に固定するベース体２０とを含み、前記リング体の枢軸部は、複数の綴杆を連結する連結部３１２に形成され、前記ベース体は、前記リング体の連結部ののびる方向にのびる長さを備え、前記リング体をベース体の長さ方向に移動させて開くときに、リング体の枢軸部の内側端近傍を収容するための空間部２０６が、幅方向の一端縁に形成され、且つ、リング体の係止部を通過させるための空間部２１２が、幅方向の他端縁に形成されている。
2008146375.tif 000002
【特許請求の範囲】
【請求項１】
環状綴杆と、綴杆の一方の基部より、綴杆の内方に向けて延設された枢軸部と、綴杆の他方の基部より、綴杆の内方に向けて延設された係止部とを有するリング体と、
前記リング体の綴杆の基部側において、リング体を移動自在に固定するベース体とを含み、
前記リング体の枢軸部は、複数の綴杆を連結する連結部に形成され、
前記ベース体は、前記リング体の連結部ののびる方向にのびる長さを備え、前記リング体をベース体の長さ方向に移動させて開くときに、リング体の枢軸部の内側端近傍を収容するための空間部が、幅方向の一端縁に形成され、且つ、リング体の係止部を通過させるための空間部が、幅方向の他端縁に形成された、綴じ具。
【請求項２】
前記ベース体は、
平面視略長方形状薄板で、
幅方向における一方端に、リング体の連結部を長さ方向に移動自在に固定する固定案内部を形成され、且つ、前記固定案内部に、リング体の枢軸部を構成する枢軸受部の内側端近傍を収容するための空間部を間欠的に形成されるとともに、空間部の外側に枢軸受部に嵌装される枢軸部を形成され、
幅方向における他方端に、リング体の係止部を移動自在に固定する係止案内部を間欠的に形成され、且つ前記係止案内部に続いてリング体の係止部を通過させるための空間部を間欠的に形成された、請求項１に記載の綴じ具。
【請求項３】
リング体は、複数の綴杆の一方の基部を連結する連結部に、ベース体の枢軸部に嵌装される枢軸部を構成する枢軸受部を間欠的に形成され、且つ前記枢軸受部の間に綴杆の内方に向けて曲げられた湾曲部を形成され、
リング体の枢軸受部及び湾曲部は、リング体の連結部を長さ方向に移動自在に固定する固定案内部に摺動自在に固定された、請求項１又は請求項２に記載の綴じ具。
【請求項４】
リング体は、綴杆の高さ方向において高低の差を設けて二段状になって係止部を備え、ベース体は、
リング体の係止部とベース体の係止案内部とが係止され且つリング体の連結部とベース体の固定案内部とが固定された状態において、リング体の係止部を固定する係止案内部において、前記リング体の二段状になった係止部に上下から挟持される、請求項１ないし３のいずれかに記載の綴じ具。
【請求項５】
前記リング体は、長さ方向における端部において、ベースの長さ方向における移動を制止するベース移動制止部を備え、
前記ベース体は、リング体を開かないときにおいて、前記リング体のベース移動制止部によって長さ方向への移動を制止される、請求項１ないし４のいずれかに記載の綴じ具。
【請求項６】
前記リング体は、綴杆の間において、綴杆の基部より下方に向けて垂れ下がり且つその内側先端部を上方に向けて上がるように形成された、枢軸部を構成する全体が断面略半円又は円弧状の枢軸受部を備え、
前記ベース体は、ベースの一方端より内側に向けて形成された、前記リング体の枢軸受部の形状に対応する、断面略円形状の枢軸部を備え、且つ、前記枢軸部の下方から内側にかけてリング体の枢軸受部を収容するための空間部が形成されるとともに、前記枢軸部の上部にリング体の枢軸受部の先端近傍をベース体の上面と同等もしくは低い位置で収容するための空間部が形成された、請求項１ないし５のいずれかに記載の綴じ具。
【請求項７】
綴じ具をファイル表紙に固定され、
前記綴じ具は、
環状綴杆と、綴杆の一方の基部より、綴杆の内方に向けて延設された枢軸部と、綴杆の他方の基部より、綴杆の内方に向けて延設された係止部とを有するリング体と、
前記リング体の綴杆の基部側において、リング体を移動自在に固定するベース体とを含み、
前記リング体の枢軸部は、複数の綴杆を連結する連結部に形成され、
前記ベース体は、前記リング体の連結部ののびる方向にのびる長さを備え、前記リング体をベース体の長さ方向に移動させて開くときに、リング体の枢軸部の内側端近傍を収容するための空間部が、幅方向の一端縁に形成され、且つ、リング体の係止部を通過させるための空間部が、幅方向の他端縁に形成された、ファイル。
【発明の詳細な説明】
【技術分野】
【０００１】
この発明は、綴じ具及びファイルに関し、特に、例えば、綴じ具及びファイル用表紙に綴じ具が固定されたファイルに関する。
【背景技術】
【０００２】
現在、多数の透明ポケットを綴じるためのファイルには、実開昭５６‐１７１２６８号公報に開示されたような、所定長さを有する台板に、逆Ｕ字型の櫛歯状綴杆と、該綴杆の基部を一定間隔をおいて連結する連結杆とをもった綴体を移動自由に支持するとともに、前記台板の長さ方向一端側に、前記綴体と係合する係止部を持ったレバーを設けて、このレバーの操作により、前記係止部の綴体との係合を解除するごとくなし、且つ前記レバーに、前記綴体における前記綴体における前記綴杆の遊端部に外方に突出する受止部を形成し、前記綴体に綴じた書類を受け止めて、該書類が綴体から脱落しないようにした、綴り具を、表紙に固定したファイルがある。【０００３】
【特許文献１】実開昭５６−１７１２６８号公報
【発明の開示】
【発明が解決しようとする課題】
【０００４】
従来の綴じ具は、所定長さを有する台板に、綴杆の基部を一定間隔をおいて連結する連結杆とをもった綴体を移動自由に支持させるように構成されているので、台板から、綴体を外すためには、綴杆と連結杆とを一体になった綴体を台板の長手方向に移動させて、綴体全体を台板から外す必要性がある。
通常、綴体に、透明ポケットに、用紙や物品を入れた状態で綴じられており、綴体を台板から外す時には、透明ポケットと綴体とを一緒に台板から外す必要性があり、透明ポケット体の重みなどにより連結杆がわずかに湾曲したりすると、台板から綴体を外すことが難しくなり、又、一旦外した綴体を透明ポケットとともに台板に入れるには、透明ポケットの重みなどにより、連結杆が若干湾曲するなどして入れにくいという問題がある。
それゆえに、この発明の発明主たる目的は、綴杆をわずかに移動させるだけで、綴杆をベース体から全体的に外すことなく開き、用箋等の被綴じ物を綴じたり、外したりすることができる、綴じ具及びファイルを提供することである。
【課題を解決するための手段】
【０００５】
この発明にかかる綴じ具は、環状綴杆と、綴杆の一方の基部より、綴杆の内方に向けて延設された枢軸部と、綴杆の他方の基部より、綴杆の内方に向けて延設された係止部とを有するリング体と、前記リング体の綴杆の基部側において、リング体を移動自在に固定するベース体とを含み、前記リング体の枢軸部は、複数の綴杆を連結する連結部に形成され、  前記ベース体は、前記リング体の連結部ののびる方向にのびる長さを備え、前記リング体をベース体の長さ方向に移動させて開くときに、リング体の枢軸部の内側端近傍を収容するための空間部が、幅方向の一端縁に形成され、且つ、リング体の係止部を通過させるための空間部が、幅方向の他端縁に形成された、綴じ具である。
この発明の請求項２にかかる綴じ具は、前記ベース体は、平面視略長方形状薄板で、幅方向における一方端に、リング体の連結部を長さ方向に移動自在に固定する固定案内部を形成され、且つ、前記固定案内部に、リング体の枢軸部を構成する枢軸受部の内側端近傍を収容するための空間部を間欠的に形成されるとともに、空間部の外側に枢軸受部に嵌装される枢軸部を形成され、幅方向における他方端に、リング体の係止部を移動自在に固定する係止案内部を間欠的に形成され、且つ前記係止案内部に続いてリング体の係止部を通過させるための空間部を間欠的に形成された、請求項１に記載の綴じ具である。
この発明の請求項３にかかる綴じ具は、リング体は、複数の綴杆の一方の基部を連結する連結部に、ベース体の枢軸部に嵌装される枢軸部を構成する枢軸受部を間欠的に形成され、且つ前記枢軸受部の間に綴杆の内方に向けて曲げられた湾曲部を形成され、リング体の枢軸受部及び湾曲部は、リング体の連結部を長さ方向に移動自在に固定する固定案内部に摺動自在に固定された、請求項１又は請求項２に記載の綴じ具である。
この発明の請求項４にかかる綴じ具は、リング体は、綴杆の高さ方向において高低の差を設けて二段状になって係止部を備え、ベース体は、リング体の係止部とベース体の係止案内部とが係止され且つリング体の連結部とベース体の固定案内部とが固定された状態において、リング体の係止部を固定する係止案内部において、前記リング体の二段状になった係止部に上下から挟持される、請求項１ないし３のいずれかに記載の綴じ具である。
この発明の請求項５にかかる綴じ具は、前記リング体は、長さ方向における端部において、ベースの長さ方向における移動を制止するベース移動制止部を備え、前記ベース体は、リング体を開かないときにおいて、前記リング体のベース移動制止部によって長さ方向への移動を制止される、請求項１ないし４のいずれかに記載の綴じ具である。
この発明の請求項６にかかる綴じ具は、前記リング体は、綴杆の間において、綴杆の基部より下方に向けて垂れ下がり且つその内側先端部を上方に向けて上がるように形成された、枢軸部を構成する全体が断面略半円又は円弧状の枢軸受部を備え、前記ベース体は、ベースの一方端より内側に向けて形成された、前記リング体の枢軸受部の形状に対応する、断面略円形状の枢軸部を備え、且つ、前記枢軸部の下方から内側にかけてリング体の枢軸受部を収容するための空間部が形成されるとともに、前記枢軸部の上部にリング体の枢軸受部の先端近傍をベース体の上面と同等もしくは低い位置で収容するための空間部が形成された、請求項１ないし５のいずれかに記載の綴じ具である。
この発明の請求項７にかかるファイルは、綴じ具をファイル表紙に固定され、前記綴じ具は、環状綴杆と、綴杆の一方の基部より、綴杆の内方に向けて延設された枢軸部と、綴杆の他方の基部より、綴杆の内方に向けて延設された係止部とを有するリング体と、前記リング体の綴杆の基部側において、リング体を移動自在に固定するベース体とを含み、前記リング体の枢軸部は、複数の綴杆を連結する連結部に形成され、前記ベース体は、前記リング体の連結部ののびる方向にのびる長さを備え、前記リング体をベース体の長さ方向に移動させて開くときに、リング体の枢軸部の内側端近傍を収容するための空間部が、幅方向の一端縁に形成され、且つ、リング体の係止部を通過させるための空間部が、幅方向の他端縁に形成された、ファイルである。
【発明の効果】
【０００６】
この発明によれば、リング体をベース体の長さ方向に移動させて開くときに、ベース体の空間部までリング体の枢軸部および係止部を移動させるだけで、リング体の枢軸部の内側端近傍を収容するための空間部にリング体の枢軸部が収容され、且つ、リング体の係止部を通過させるための空間部を綴杆の係止部が通過して、リング体に綴じられた被綴じ物とともにリング体を開き、リング体より被綴じ物を外すことができる。又、開いていたリング体を逆方向に回転させて、リング体をベース体の長さ方向に移動させて、リング体の枢軸部を中心として回動させ且つリング体の係止部を通過させるための空間部を通過させ、つぎに、リング体をベース体の長さ方向に移動させて、リング体の係止部を空間部からベース体に係止される位置まで移動させて、リング体をベース体に固定することができる。
請求項２の発明によれば、前記ベース体は、平面視略長方形状薄板で、幅方向における一方端に、リング体の連結部を長さ方向に移動自在に固定する固定案内部を形成され、且つ、前記固定案内部に、リング体の枢軸部を構成する枢軸受部の内側端近傍を収容するための空間部を間欠的に形成されるとともに、空間部の外側に枢軸受部に嵌装される枢軸部を形成され、幅方向における他方端に、リング体の係止部を移動自在に固定する係止案内部を間欠的に形成され、且つ前記係止案内部に続いてリング体の係止部を通過させるための空間部を間欠的に形成されているので、ベース体の低背化を図ることができ、ファイルの表紙の大型化を防ぐことができる。
請求項３の発明によれば、リング体は、複数の綴杆の一方の基部を連結する連結部に、ベース体の枢軸部に嵌装される枢軸部を構成する枢軸受部を間欠的に形成され、且つ前記枢軸受部の間に綴杆の内方に向けて曲げられた湾曲部を形成され、リング体の枢軸受部及び湾曲部は、リング体の連結部を長さ方向に移動自在に固定する固定案内部に摺動自在に固定されているので、リング体及びベース体の低背化を図ることができ、ファイルの表紙の大型化を防ぐことができる。
請求項４の発明によれば、リング体は、綴杆の高さ方向において高低の差を設けて二段状になって係止部を備え、ベース体は、リング体の係止部とベース体の係止案内部とが係止され且つリング体の連結部とベース体の固定案内部とが固定された状態において、リング体の係止部を固定する係止案内部において、前記リング体の二段状になった係止部に上下から挟持されるので、リング体を確実にベース体に固定することができる。
請求項５の発明によれば、前記リング体は、長さ方向における端部において、ベースの長さ方向における移動を制止するベース移動制止部を備え、前記ベース体は、リング体を開かないときにおいて、前記リング体のベース移動制止部によって長さ方向への移動を制止されるので、リング体を確実にベース体に固定することができる。
請求項６の発明によれば、前記リング体は、綴杆の間において、綴杆の基部より下方に向けて垂れ下がり且つその内側先端部を上方に向けて上がるように形成された、枢軸部を構成する全体が断面略半円又は円弧状の枢軸受部を備え、前記ベース体は、ベースの一方端より内側に向けて形成された、前記リング体の枢軸受部の形状に対応する、断面略円形状の枢軸部を備え、且つ、前記枢軸部の下方から内側にかけてリング体の枢軸受部を収容するための空間部が形成されるとともに、前記枢軸部の上部にリング体の枢軸受部の先端近傍をベース体の上面と同等もしくは低い位置で収容するための空間部が形成されるので、リング体の開閉を円滑に行うことができ、且つリング体及びベース体の低背化を図ることができ、ファイルの表紙の大型化を防ぐことができる。
この発明にかかるファイルは、綴じ具をファイル表紙に固定され、前記綴じ具は、環状綴杆と、綴杆の一方の基部より、綴杆の内方に向けて延設された枢軸部と、綴杆の他方の基部より、綴杆の内方に向けて延設された係止部とを有するリング体と、前記リング体の綴杆の基部側において、リング体を移動自在に固定するベース体とを含み、前記リング体の枢軸部は、複数の綴杆を連結する連結部に形成され、前記ベース体は、前記リング体の連結部ののびる方向にのびる長さを備え、前記リング体をベース体の長さ方向に移動させて開くときに、リング体の枢軸部の内側端近傍を収容するための空間部が、幅方向の一端縁に形成され、且つ、リング体の係止部を通過させるための空間部が、幅方向の他端縁に形成されているので、ベース体の低背化を図ることができ、ファイルの表紙の大型化を防ぐことができる。また、綴杆をわずかに移動させるだけで、綴杆をベース体から全体的に外すことなく開き、用箋等の被綴じ物を綴じたり、外したりすることができる。【０００７】
この発明の上述の目的、その他の目的、特徴及び利点は、図を参照して行う以下の発明を実施するための最良の形態の説明からいっそう明らかとなろう。
この発明にかかる綴じ具及びファイルの各部は、図２６において示すように、方向性を有している。
【図面の簡単な説明】
【０００８】
【図１】この発明の一実施の形態であるファイルの斜視図解図である。
【図２】この発明に係る綴じ具の一例を示す斜視図解図である。
【図３】図２に示す綴じ具のリング体の斜視図解図である。
【図４】図２に示す綴じ具のベース体の斜視図解図である。
【図５】図２に示す綴じ具のベース体の斜視図解図である。
【図６】図２に示す綴じ具の開いた状態における斜視図解図である。
【図７】リング体をベース体に固定したときにおける綴じ具の平面図解図である。
【図８】リング体をスライドして開くときにおける綴じ具の平面図解図である。
【図９】リング体をベース体に固定したときにおける綴じ具の底面図解図である。
【図１０】リング体をスライドして開くときにおける綴じ具の底面図解図である。
【図１１】リング体をベース体に固定したときにおける綴じ具の左側面図解図である。
【図１２】リング体をスライドして開くときにおける綴じ具の左側面図解図である。
【図１３】リング体をベース体に固定したときにおける綴じ具の右側面図解図である。
【図１４】リング体をスライドして開くときにおける綴じ具の右側面図解図である。
【図１５】リング体をベース体に固定したときにおける綴じ具の図７図示Ａ−Ａ断面図解図である。
【図１６】リング体をベース体に固定したときにおける綴じ具の図７図示Ｂ−Ｂ断面図解図である。
【図１７】リング体をスライドして開く状態を示すＢ′−Ｂ′断面図解図であり、（Ａ）は、リング体をベース体に固定したときの断面図解図であり、（Ｂ）は、リング体をスライドして開いたときの断面図解図である。
【図１８】リング体をベース体に固定したときにおける綴じ具の図７図示Ｃ−Ｃ断面図解図である。
【図１９】リング体をスライドして開く状態を示すＣ′−Ｃ′断面図解図であり、（Ａ）は、リング体をベース体に固定したときの断面図解図であり、（Ｂ）は、リング体をスライドして開いたときの断面図解図である。
【図２０】リング体をベース体に固定したときにおける綴じ具の図７図示Ｄ−Ｄ断面図解図である。
【図２１】リング体をスライドして開く状態を示すＤ′−Ｄ′断面図解図であり、（Ａ）は、リング体をベース体に固定したときの断面図解図であり、（Ｂ）は、リング体をスライドして開いたときの断面図解図である。
【図２２】リング体をベース体に固定したときにおける綴じ具の図７図示Ｅ−Ｅ断面図解図である。
【図２３】リング体をスライドして開く状態を示すＥ′−Ｅ′断面図解図であり、（Ａ）は、リング体をベース体に固定したときの断面図解図であり、（Ｂ）は、リング体をスライドして開いたときの断面図解図である。
【図２４】リング体をベース体に固定したときにおける綴じ具の図７図示Ｆ−Ｆ断面図解図である。
【図２５】リング体をスライドして開く状態を示すＦ′−Ｆ′断面図解図であり、（Ａ）は、リング体をベース体に固定したときの断面図解図であり、（Ｂ）は、リング体をスライドして開いたときの断面図解図である。
【図２６】この発明にかかるファイルの各部及び方向を示す斜視図解図である。
【符号の説明】
【０００９】
１０  綴じ具
１２  ファイル
１４  表紙
１４ａ  背表紙
１４ｂ  表表紙
１４ｃ  裏表紙
２０  ベース体
２０２  ベース本体
２０２ａ  取付孔
２０４  固定案内部
２０６  空間部
２０８  枢軸部
２１０  係止案内部
２１２  空間部
２１４  係止凸部
２２０  操作部
２２２  ベース移動制止部
２５０  第１の係止凸部
２５２  第２の係止凸部
３０  リング体
３０２  綴杆
３０４  基部
３０６  枢軸受部
３０８  基部
３１０  係止部
３１２  連結部
３１４  湾曲部
３２０  ベース移動制止部
３４０  第１の綴杆
３４２  第２の綴杆
３４４  第３の綴杆
３５０  第１の係止部
３５２  第２の係止部
３５４  第３の係止部
Ｓ  被綴じ物
【発明を実施するための最良の形態】
【００１０】
図１は、この発明の一実施の形態であるファイルの斜視図解図であり、図２は、この発明に係る綴じ具の一例を示す斜視図解図である。図３は、図２に示す綴じ具のリング体の斜視図解図であり、図４は、図２に示す綴じ具のベース体の斜視図解図である。図５は、図２に示す綴じ具のベース体の斜視図解図であり、図６は、図２に示す綴じ具の開いた状態における斜視図解図である。
綴じ具１０は、透明ポケット等の多穴の被綴じ物Ｓを綴じるファイル１２の一部として用いられ、ファイル１２の表紙に取り付けられる。
表紙１４は、背表紙１４ａを含み、背表紙１４ａの両側に、表表紙１４ｂ及び裏表紙１４ｃが形成される。そして、背表紙１４ａに、綴じ具１０が取り付けられる。
綴じ具１０は、表紙１４に固定するための固定手段たるベース体２０と、多穴の被綴じ物Ｓの綴じ孔に貫挿される多穴用リング体３０とを含む。【００１１】
ベース体２０は、ポリアセタール（ＰＯＭ）等の弾力性を有する合成樹脂で一体成形されている。
ベース体２０は、図４及び図５に示すように、合成樹脂などで構成される略々平面視略長方形の薄板状のベース本体２０２を含む。【００１２】
ベース本体２０２は、たとえばリベットなどの固定具を、ベース本体２０２に貫設された取付孔２０２ａに挿入し、表紙１４を構成するシートと固定することによって、背表紙１４ａに固定される。綴じ具１０の全体の横幅は、背表紙１４ａの横幅と略々同じかそれより狭く構成されている。【００１３】
ベース体２０は、全体が平面視略長方形状で、長さ方向を備え、長さ方向に略々同じ高さの平面を上下に有し、幅方向における両側部において、リング体３０の綴杆３０２の左右の基部３０４及び基部３０８側を係止して、リング体３０を移動自在に固定する。【００１４】
リング体３０は、同一間隔をあけて並列された複数の環状綴杆３０２と、前記綴杆３０２の一方（右側のＢ面裏〔裏表紙１４ｃ〕側）の基部３０４より、綴杆３０２の内方に向けて延設された枢軸受部３０６と、綴杆３０２の他方（左側のＡ面裏〔表表紙１４ｂ〕側）の基部３０８より、綴杆３０２の内方に向けて延設された係止部３１０とを有する。【００１５】
リング体３０は、複数の綴杆３０２の一方の基部３０４を連結する連結部３１２に、ベース体２０の枢軸部に嵌挿されて枢軸部を構成する枢軸受部３０６を間欠的に形成され、且つ前記枢軸受部３０６の間に綴杆３０２の内方に向けて曲げられた湾曲部３１４を形成され、全体が金属板をわん曲させて一体に成形されている。
リング体３０の枢軸受部３０６は、綴杆３０２の間において、綴杆３０２の基部３０４より下方に向けて垂れ下がり且つその内側先端部を上方に向けて上がるように形成された、全体が断面略半円又は円弧状に形成されている。リング体３０は、枢軸受部３０６を中心にして、表紙１４の左側のＡ面裏（表表紙１４ｂ）側より右側のＢ面裏（裏表紙１４ｃ）側に開くことができ、開いていたリング体３０を逆に右側のＢ面裏（裏表紙１４ｃ）側より左側のＡ面裏（表表紙１４ｂ）側に閉じることができる。【００１６】
リング体３０の係止部３１０は、綴杆３０２の基部３０８より綴杆３０２の内方に向けて曲げられた略Ｌ字状であり、綴杆３０２によっては、綴杆３０２の高さ方向において高低の差を設けて２段状になっている。【００１７】
ベース体２０は、リング体３０の連結部３１２ののびる方向にのびる長さを備え、ベース体２０とリング体３０の横幅は、略々同じであり、リング体３０の綴杆３０２を構成する金属板の厚み分がベース体２０の左右の端縁より幅方向において外方に出るように構成されている。
ベース体２０は、ベース本体２０２の幅方向における一方端（右側のＢ面裏〔裏表紙１４ｃ〕側端）の近傍に、リング体３０の連結部３１２を長さ方向に移動自在に固定するための固定案内部２０４を形成され、且つ、前記固定案内部２０４に、リング体３０の枢軸部を構成する枢軸受部３０６の内側端近傍を収容するための空間部２０６を間欠的に並列して形成されるとともに、前記空間部２０６の外側にリング体３０の枢軸受部３０６に嵌挿される枢軸部２０８を形成されている。
又、ベース体２０は、ベース本体２０２の幅方向における他方端（左側のＡ面裏〔表表紙１４ｂ〕側端）の近傍に、リング体３０の係止部３１０を移動自在に固定するための係止案内部２１０を間欠的に並列して形成され、且つ前記係止案内部２１０に続いてリング体３０の係止部３１０を通過させるための空間部２１２を間欠的に並列して形成されている。固定案内部２０４は、ベース本体２０２の内部に形成され、係止案内部２１０は、ベース本体２０２の側部に突設され、固定案内部２０４及び係止案内部２１０は、ベース本体２０２の高さ方向における上面及び下面より突き出ることはない。【００１８】
係止案内部２１０は、ベース本体２０２の左端縁より突き出し設けられた係止凸部２１４と、係止凸部２１４の間に形成された空間部２１２とを備える。【００１９】
ベース体２０の枢軸部２０８は、リング体３０の枢軸受部３０６の形状に対応して、ベース本体２０２の一方端より内側に向けて形成された、断面略円形の柱状に形成され、且つ、枢軸部２０８の下方から内側にかけてリング体３０の枢軸受部３０６を収容するための空間部２０６を形成されるとともに、前記枢軸部２０８の上部にリング体３０の枢軸受部３０６の先端近傍をできるだけ低い位置で収容するための空間部２０６を形成されている。【００２０】
リング体３０は、リング体３０の係止部３１０とベース体２０の係止案内部２１０とが係止され、且つ、リング体３０の連結部３１２を長さ方向に移動自在に固定するベース体２０の固定案内部２０４に摺動自在に固定される。そして、リング体３０の係止部３１０とベース体２０の係止案内部２１０とが係止され、且つ、リング体３０の連結部３１２とベース体２０の固定案内部２０４とが固定された状態において、リング体３０の係止部３１０を固定する係止案内部２１０において、前記リング体３０の２段状になった係止部３１０に上下から挟持されるように構成されている。【００２１】
この発明の実施の形態においては、綴杆３０２は、３種類有る。すなわち、最も向こう側の第１の綴杆３４０及び手前側の綴杆のうち手前から２番目の第１の綴杆３４０を有する。そして、前記向こう側の第１の綴杆３４０と手前側の手前から２番目の第１の綴杆３４０との間において適宜な間隔をあけて連なった第２の綴杆３４２と、最も手前側の第３の綴杆３４４とを有する。
そして、３種類の綴杆は、それぞれ係止部３１０の形状が異なり、第１の綴杆３４０は、高さ方向において、やや短い第１の係止部３５０をその先端に備え、第２の綴杆３４２は、高さ方向においてやや長い第２の係止部３５２をその先端に備え、リング体３０の高さ方向において第１の係止部３５０と第２の係止部３５２とが段状になっており、高低の差がある。
一方、係止案内部２１０は、２種類有する。すなわち、最も向こう側の第１の係止凸部２５０及び最も手前側の第１の係止凸部２５０を有する。そして、前記最も向こう側の第１の係止凸部２５０と最も手前側の第１の係止凸部２５０との間において適宜な間隔をあけて連なった第２の係止凸部２５２とを有する。
第１の係止凸部２５０は、その上面において第１の綴杆３４０の第１の係止部３５０と係合するために、その上方に第１の係止部３５０を収容するための空間が形成され、該空間は、綴杆３０２を閉じた状態から開くために向こう側にスライドしたときに収容するように、空間部２１２（向こう側の空間部２１２）に向けて開放されて、空間部２１２と連なっている。
第２の係止凸部２５２は、その上面において第２の綴杆３４２の第２係止部３５２と係合するために、その下方に第２の係止部３５２を収容するための空間が形成され、該空間は、綴杆３０２を閉じた状態から開くために向こう側にスライドしたときに収容するように、空間部２１２（向こう側の空間部２１２）に向けて開放されて、空間部２１２と連なっている。【００２２】
そして、第１の係止部３５０は上から、第２の係止部３５２は下から、係止案内部２１０を挟持して、確実にリング体３０はベース体２０に固定される。また、第３の係止部３５４は、ベース本体２０２の左側縁を摺動するように構成され、連結部３１２と協働して、ベース体２０を挟持する。【００２３】
リング体３０は、長さ方向における端部において、ベース体２０の長さ方向における移動を制止するベース移動制止部３２０を備え、ベース体２０は、長さ方向における端部において、リング体３０の長さ方向における移動を制止するベース移動制止部２２２を備えている。前記リング体３０は、リング体３０を開かないときにおいて、前記ベース体２０のベース移動制止部２２２に前記リング体３０のベース移動制止部３２０を係止することによって、長さ方向への移動を制止される。ベース体２０のベース移動制止部２２２の向こう側は、ややベース移動制止部２２２に至るに従って上昇する傾斜面を形成され、ベース体２０のベース移動制止部２２２は、その傾斜面より垂設された垂直面の係止面を有する。【００２４】
ベース体２０は、長さ方向において手前側に、ベース本体２０２の全体よりも薄い厚さを有する操作部２２０を備え、操作部２２０は、その上面は、ベース本体２０２の全体の上面よりやや高い高さを有し、下面は、ベース本体２０２の全体の下面よりやや高く、その下方に空間を備え、下方に向けて押さえることにより撓み、その弾力性により復元するように構成されている。【００２５】
次に、この発明に係る綴じ具１０の使用方法について説明する。
まず、この綴じ具１０のリング体３０を開く場合について説明する。
リング体３０をベース体２０の長さ方向に移動させて開くときに、ベース本体２０２の手前側先端に形成された操作部２２０を押し下げ、操作部２２０の近傍に形成されたベース移動制止部２２２から、リング体３０のベース移動制止部３２０を外し、ベース体２０の長さ方向にリング体３０を移動させ、リング体３０の枢軸受部３０６をベース体２０の空間部２０６に位置させ且つリング体３０の係止部３１０をベース体２０の空間部２１２に位置させ、リング体３０の係止部３１０をベース体２０の空間部２１２から上方に向けて通過させて、リング体３０の係止部３１０側をベース体２０の枢軸部２０８を枢軸として反対側、すなわち左側のＡ面裏（表表紙１４ｂ）側より、右側のＢ面裏（裏表紙１４ｃ）側に回動させる。【００２６】
次に、この綴じ具１０のリング体３０を開いた状態から閉じる場合について説明する。
リング体３０の係止部３１０側をベース体２０の枢軸部２０８を枢軸として反対側、すなわち右側のＢ面裏（裏表紙１４ｃ）側より左側のＡ面裏（表表紙１４ｂ）側に回動させ、リング体３０の係止部３１０をベース体２０の空間部２１２から下方に向けて通過させ、リング体３０の枢軸受部３０６の先端をベース体２０の空間部２０６の下方に位置させ、ベース体２０の長さ方向にリング体３０を移動させ、ベース体２０のベース移動制止部２２２にリング体３０のベース移動制止部３２０を係止させて、リング体３０をベース体２０の固定位置に停止させる。
【産業上の利用可能性】
【００２７】
この発明にかかる綴じ具は、たとえば２穴用や４穴ないし３０穴用など多穴用のファイル・バインダ類の綴じ具に適用できる。
【図１】
2008146375.tif 000003
【図２】
2008146375.tif 000004
【図３】
2008146375.tif 000005
【図４】
2008146375.tif 000006
【図５】
2008146375.tif 000007
【図６】
2008146375.tif 000008
【図７】
2008146375.tif 000009
【図８】
2008146375.tif 000010
【図９】
2008146375.tif 000011
【図１０】
2008146375.tif 000012
【図１１】
2008146375.tif 000013
【図１２】
2008146375.tif 000014
【図１３】
2008146375.tif 000015
【図１４】
2008146375.tif 000016
【図１５】
2008146375.tif 000017
【図１６】
2008146375.tif 000018
【図１７】
2008146375.tif 000019
【図１８】
2008146375.tif 000020
【図１９】
2008146375.tif 000021
【図２０】
2008146375.tif 000022
【図２１】
2008146375.tif 000023
【図２２】
2008146375.tif 000024
【図２３】
2008146375.tif 000025
【図２４】
2008146375.tif 000026
【図２５】
2008146375.tif 000027
【図２６】
2008146375.tif 000028
【手続補正書】
【提出日】平成21年8月28日(2009.8.28)
【手続補正１】
【補正対象書類名】明細書
【補正対象項目名】０００５
【補正方法】変更
【補正の内容】
【０００５】
この発明にかかる綴じ具は、環状綴杆と、綴杆の一方の基部より、綴杆の内方に向けて延設された枢軸部と、綴杆の他方の基部より、綴杆の内方に向けて延設された係止部とを有するリング体と、前記リング体の綴杆の基部側において、リング体を移動自在に固定するベース体とを含み、前記リング体の枢軸部は、複数の綴杆を連結する連結部に形成され、前記ベース体は、前記リング体の連結部ののびる方向にのびる長さ、及び、幅方向において離れた一端縁と他端縁とを備え、前記リング体をベース体の長さ方向に移動させ且つリング体の枢軸部を中心にしてリング体を回動させて開くときに、リング体の係止部を通過させるための空間部が形成され、前記空間部は、前記枢軸部が形成された一端縁とは幅方向において離れた他端縁に形成された、綴じ具である。
この発明の請求項２にかかる綴じ具は、前記ベース体は、平面視略長方形状薄板で、幅方向における一方端に、リング体の連結部を長さ方向に移動自在に固定する固定案内部を形成され、且つ、前記固定案内部に、リング体の枢軸部を構成する枢軸受部の内側端近傍を収容するための空間部を間欠的に形成されるとともに、空間部の外側に枢軸受部に嵌装される枢軸部を形成され、幅方向における他方端に、リング体の係止部を移動自在に固定する係止案内部を間欠的に形成され、且つ前記係止案内部に続いてリング体の係止部を通過させるための空間部を間欠的に形成された、請求項１に記載の綴じ具である。
この発明の請求項３にかかる綴じ具は、リング体は、複数の綴杆の一方の基部を連結する連結部に、ベース体の枢軸部に嵌装される枢軸部を構成する枢軸受部を間欠的に形成され、且つ前記枢軸受部の間に綴杆の内方に向けて曲げられた湾曲部を形成され、リング体の枢軸受部及び湾曲部は、リング体の連結部を長さ方向に移動自在に固定する固定案内部に摺動自在に固定された、請求項１又は請求項２に記載の綴じ具である。
この発明の請求項４にかかる綴じ具は、リング体は、綴杆の高さ方向において高低の差を設けて二段状になって係止部を備え、ベース体は、リング体の係止部とベース体の係止案内部とが係止され且つリング体の連結部とベース体の固定案内部とが固定された状態において、リング体の係止部を固定する係止案内部において、前記リング体の二段状になった係止部に上下から挟持される、請求項１ないし３のいずれかに記載の綴じ具である。
この発明の請求項５にかかる綴じ具は、前記リング体は、長さ方向における端部において、ベースの長さ方向における移動を制止するベース移動制止部を備え、前記ベース体は、リング体を開かないときにおいて、前記リング体のベース移動制止部によって長さ方向への移動を制止される、請求項１ないし４のいずれかに記載の綴じ具である。
この発明の請求項６にかかる綴じ具は、前記リング体は、綴杆の間において、綴杆の基部より下方に向けて垂れ下がり且つその内側先端部を上方に向けて上がるように形成された、枢軸部を構成する全体が断面略半円又は円弧状の枢軸受部を備え 、前記ベース体は、ベースの一方端より内側に向けて形成された、前記リング体の枢軸受部の形状に対応する、断面略円形状の枢軸部を備え、且つ、前記枢軸部の下方から内側にかけてリング体の枢軸受部を収容するための空間部が形成されるとともに、前記枢軸部の上部にリング体の枢軸受部の先端近傍をベース体の上面と同等もしくは低い位置で収容するための空間部が形成された、請求項１ないし５のいずれかに記載の綴じ具である。
この発明の請求項７にかかるファイルは、綴じ具をファイル表紙に固定され、前記綴じ具は、環状綴杆と、綴杆の一方の基部より、綴杆の内方に向けて延設された枢軸部と、綴杆の他方の基部より、綴杆の内方に向けて延設された係止部とを有するリング体と、前記リング体の綴杆の基部側において、リング体を移動自在に固定するベース体とを含み、前記リング体の枢軸部は、複数の綴杆を連結する連結部に形成され、前記ベース体は、前記リング体の連結部ののびる方向にのびる長さ、及び、幅方向において離れた一端縁と他端縁とを備え、前記リング体をベース体の長さ方向に移動させ且つリング体の枢軸部を中心にしてリング体を回動させて開くときに、リング体の係止部を通過させるための空間部が形成され、前記空間部は、前記枢軸部が形成された一端縁とは幅方向において離れた他端縁に形成された、ファイルである。
【手続補正２】
【補正対象書類名】明細書
【補正対象項目名】０００６
【補正方法】変更
【補正の内容】
【０００６】
この発明によれば、リング体をベース体の長さ方向に移動させて開くときに、ベース体の空間部までリング体の枢軸部および係止部を移動させるだけで、リング体の枢軸部の内側端近傍を収容するための空間部にリング体の枢軸部が収容され、且つ、リング体の係止部を通過させるための空間部を綴杆の係止部が通過して、リング体に綴じられた被綴じ物とともにリング体を開き、リング体より被綴じ物を外すことができる。又、開いていたリング体を逆方向に回転させて、リング体をベース体の長さ方向に移動させて、リング体の枢軸部を中心として回動させ且つリング体の係止部を通過させるための空間部を通過させ、つぎに、リング体をベース体の長さ方向に移動させて、リング体の係止部を空間部からベース体に係止される位置まで移動させて、リング体をベース体に固定することができる。
請求項２の発明によれば、前記ベース体は、平面視略長方形状薄板で、幅方向における一方端に、リング体の連結部を長さ方向に移動自在に固定する固定案内部を形成され、且つ、前記固定案内部に、リング体の枢軸部を構成する枢軸受部の内側端近傍を収容するための空間部を間欠的に形成されるとともに、空間部の外側に枢軸受部に嵌装される枢軸部を形成され、幅方向における他方端に、リング体の係止部を移動自在に固定する係止案内部を間欠的に形成され、且つ前記係止案内部に続いてリング体の係止部を通過させるための空間部を間欠的に形成されているので、ベース体の低背化を図ることができ、ファイルの表紙の大型化を防ぐことができる。
請求項３の発明によれば、リング体は、複数の綴杆の一方の基部を連結する連結部に、ベース体の枢軸部に嵌装される枢軸部を構成する枢軸受部を間欠的に形成され、且つ前記枢軸受部の間に綴杆の内方に向けて曲げられた湾曲部を形成され、リング体の枢軸受部及び湾曲部は、リング体の連結部を長さ方向に移動自在に固定する固定案内部に摺動自在に固定されているので、リング体及びベース体の低背化を図ることができ、ファイルの表紙の大型化を防ぐことができる。
請求項４の発明によれば、リング体は、綴杆の高さ方向において高低の差を設けて二段状になって係止部を備え、ベース体は、リング体の係止部とベース体の係止案内部とが係止され且つリング体の連結部とベース体の固定案内部とが固定された状態において、リング体の係止部を固定する係止案内部において、前記リング体の二段状になった係止部に上下から挟持されるので、リング体を確実にべース体に固定することができる。
請求項５の発明によれば、前記リング体は、長さ方向における端部において、ベースの長さ方向における移動を制止するベース移動制止部を備え、前記ベース体は、リング体を開かないときにおいて、前記リング体のベース移動制止部によって長さ方向への移動を制止されるので、リング体を確実にべース体に固定することができる。
請求項６の発明によれば、前記リング体は、綴杆の間において、綴杆の基部より下方に向けて垂れ下がり且つその内側先端部を上方に向けて上がるように形成された、枢軸部を構成する全体が断面略半円又は円弧状の枢軸受部を備え、前記ベース体は、ベースの一方端より内側に向けて形成された、前記リング体の枢軸受部の形状に対応する、断面略円形状の枢軸部を備え、且つ、前記枢軸部の下方から内側にかけてリング体の枢軸受部を収容するための空間部が形成されるとともに、前記枢軸部の上部にリング体の枢軸受部の先端近傍をベース体の上面と同等もしくは低い位置で収容するための空間部が形成されるので、リング体の開閉を円滑に行うことができ、且つリング体及びベース体の低背化を図ることができ、ファイルの表紙の大型化を防ぐことができる。
この発明にかかるファイルは、綴じ具をファイル表紙に固定され、前記綴じ具は、環 状綴杆と、綴杆の一方の基部より、綴杆の内方に向けて延設された枢軸部と、綴杆の他方の基部より、綴杆の内方に向けて延設された係止部とを有するリング体と、前記リング体の綴杆の基部側において、リング体を移動自在に固定するベース体とを含み、前記リング体の枢軸部は、複数の綴杆を連結する連結部に形成され、前記ベース体は、前記リング体の連結部ののびる方向にのびる長さ、及び、幅方向において離れた一端縁と他端縁とを備え、前記リング体をベース体の長さ方向に移動させ且つリング体の枢軸部を中心にしてリング体を回動させて開くときに、リング体の係止部を通過させるための空間部が形成され、前記空間部は、前記枢軸部が形成された一端縁とは幅方向において離れた他端縁に形成されているので、ベース体の低背化を図ることができ、ファイルの表紙の大型化を防ぐことができる。また、綴杆をわずかに移動させるだけで、綴杆をベース体から全体的に外すことなく開き、用箋等の被綴じ物を綴じたり、外したりすることができる。
【手続補正３】
【補正対象書類名】特許請求の範囲
【補正対象項目名】請求項１
【補正方法】変更
【補正の内容】
【請求項１】
環状綴杆と、綴杆の一方の基部より、綴杆の内方に向けて延設された枢軸部と、綴杆の他方の基部より、綴杆の内方に向けて延設された係止部とを有するリング体と、
前記リング体の綴杆の基部側において、リング体を移動自在に固定するベース体とを含み、
前記リング体の枢軸部は、複数の綴杆を連結する連結部に形成され、
前記ベース体は、前記リング体の連結部ののびる方向にのびる長さ、及び、幅方向において離れた一端縁と他端縁とを備え、前記リング体をベース体の長さ方向に移動させ且つリング体の枢軸部を中心にしてリング体を回動させて開くときに、リング体の係止部を通過させるための空間部が形成され、
前記空間部は、前記枢軸部が形成された一端縁とは幅方向において離れた他端縁に形成された、綴じ具。
【手続補正４】
【補正対象書類名】特許請求の範囲
【補正対象項目名】請求項７
【補正方法】変更
【補正の内容】
【請求項７】
綴じ具をファイル表紙に固定され、
前記綴じ具は、
環状綴杆と、綴杆の一方の基部より、綴杆の内方に向けて延設された枢軸部と、綴杆の他方の基部より、綴杆の内方に向けて延設された係止部とを有するリング体と、
前記リング体の綴杆の基部側において、リング体を移動自在に固定するベース体とを含み、
前記リング体の枢軸部は、複数の綴杆を連結する連結部に形成され、
前記ベース体は、前記リング体の連結部ののびる方向にのびる長さ、及び、幅方向において離れた一端縁と他端縁とを備え、前記リング体をベース体の長さ方向に移動させ且つリング体の枢軸部を中心にしてリング体を回動させて開くときに、リング体の係止部を通過させるための空間部が形成され、
前記空間部は、前記枢軸部が形成された一端縁とは幅方向において離れた他端縁に形成された、ファイル。
【国際調査報告】
2008146375.tif 000029
2008146375.tif 000030